(57)【要約】【課題】ＤＶＤプレーヤーと投射装置とを一体化したプロジェクタにおいて、より低騒音化されたプロジェクタを提供する。【解決手段】プロジェクタ１は、光源部４１１からの光束を画像信号に応じて変調して投射する投射装置２と、画像信号に関連する画像を再生するＤＶＤプレーヤー３と、投射装置２とＤＶＤプレーヤー３とを仕切る区画部材６と、ＤＶＤプレーヤー３を冷却するプレーヤー冷却空気５５を取り入れるためのプレーヤー吸気口３４と、区画部材６に設けられＤＶＤプレーヤー３から投射装置２へプレーヤー冷却空気５５を導入するための連通口６１，６２と、投射装置２に設けられ区画部材６の近傍に排気ユニット開口７０を有する排気ユニット７と、を備え、排気ユニット７は、プレーヤー冷却空気５５を連通口６１，６２から排気ユニット開口７０へ導く空気流５５ｂ，５５ｃを形成して排気すると共に投射装置２を冷却した投射装置冷却空気５０を排気する。【選択図】図６
2009047828.tif 000002
【特許請求の範囲】
【請求項１】
光源部から射出された光束を画像信号に応じて変調して投射する投射装置と、
前記画像信号に関連する画像を再生する画像再生装置と、
前記投射装置と前記画像再生装置とを仕切る区画部材と、
前記投射装置を冷却する第１の冷却空気を取り入れるための第１の吸気口と、
前記画像再生装置を冷却する第２の冷却空気を取り入れるための第２の吸気口と、
前記区画部材に設けられ、前記画像再生装置から前記投射装置へ前記第２の冷却空気を導入するための連通口と、
前記投射装置に設けられ前記第１の冷却空気および前記第２の冷却空気を排気する排気ファンを有する排気ユニットと、を備えたことを特徴とするプロジェクタ。
【請求項２】
請求項１に記載のプロジェクタにおいて、
前記排気ユニットは、前記区画部材近傍に開口を有し、
前記連通口と、前記開口により、
前記第２の冷却空気を前記連通口から前記排気ユニットへ導く冷却流路が形成されていることを特徴とするプロジェクタ。
【請求項３】
請求項１または２に記載のプロジェクタにおいて、
前記投射装置の内部に、さらに、内部ファンを有し、
前記内部ファンは、前記第１の冷却空気および前記連通口からの前記第２の冷却空気を前記投射装置の発熱部へ送って、前記発熱部を冷却することを特徴とするプロジェクタ。
【請求項４】
請求項１から３のいずれか一項に記載のプロジェクタにおいて、
前記第１の吸気口と前記第２の吸気口とは、前記排気ユニットと対向する側に隣接して設けられていることを特徴とするプロジェクタ。
【発明の詳細な説明】
【技術分野】
【０００１】
本発明は、画像再生装置および投射装置を備えた複合タイプのプロジェクタに関する。
【背景技術】
【０００２】
従来、複合タイプのプロジェクタとして、画像再生装置であるＤＶＤ（Digital  Versatile  Disc）プレーヤーと投射装置とを一体化して備えた構成のものが知られている。このプロジェクタによれば、ＤＶＤを再生し、再生した画像をスクリーンへ投射する場合に、ＤＶＤプレーヤーと投射装置とをコードで接続する等の煩雑な操作が不必要である。これにより、ユーザーは、プロジェクタをスクリーンと対向して設置し、ＤＶＤを挿入するだけの簡便な操作によって、ＤＶＤのコンテンツを鑑賞することが可能である。
【０００３】
さらに、プロジェクタは、発熱量の多い投射装置がＤＶＤプレーヤーの上部側に位置する配置であって、投射装置の熱がＤＶＤプレーヤーに伝わり難い構成となっていると共に、ＤＶＤプレーヤーおよび投射装置が、それぞれ吸気口と排気口とファンとを有していて、吸気した冷却空気によって、十分に冷却される構成となっている。冷却に供された冷却空気は、ＤＶＤプレーヤーおよび投射装置のそれぞれの排気口から排気される。また、投射装置とＤＶＤプレーヤー間は区画部材で区切られており、区画部材には、ＤＶＤプレーヤーからの熱を投射装置へ導入するための導入口がＤＶＤプレーヤーの最も発熱する部分に設けられており、ＤＶＤプレーヤーの最も発熱する部分の熱は投射装置へ送られる（例えば特許文献１）。
【０００４】
【特許文献１】特開２００６−７２０３７号公報
【発明の開示】
【発明が解決しようとする課題】
【０００５】
しかし、ＤＶＤプレーヤーの最も発熱する部分の熱のみが投射装置へ送られるため、ＤＶＤプレーヤー部には、ＤＶＤプレーヤー部全体を冷却する吸気ファン、排気ファンがそれぞれ必要となり、プロジェクタの騒音が大きくなってしまう、また、ファンを配置することにより全体のサイズが大きくなってしまう、という課題があった。
【課題を解決するための手段】
【０００６】
本発明は、上記課題の少なくとも一部を解決するためになされたものであり、以下の形態または適用例として実現することが可能である。
【０００７】
［適用例１］
上記適用例にかかるプロジェクタは、光源部から射出された光束を画像信号に応じて変調して投射する投射装置と、前記画像信号に関連する画像を再生する画像再生装置と、前記投射装置と前記画像再生装置とを仕切る区画部材と、前記投射装置を冷却する第１の冷却空気を取り入れるための第１の吸気口と、前記画像再生装置を冷却する第２の冷却空気を取り入れるための第２の吸気口と、前記区画部材に設けられ、前記画像再生装置から前記投射装置へ前記第２の冷却空気を導入するための連通口と、前記投射装置に設けられ前記第１の冷却空気および前記第２の冷却空気を排気する排気ファンを有する排気ユニットと、を備えたことを特徴とする。
【０００８】
このプロジェクタによれば、区画部材を介して設けられている投射装置と画像再生装置とは、第１の冷却空気または第２の冷却空気を取り入れて、それぞれの冷却空気によって冷却される構成になっている。投射装置は、第１の吸気口から取り入れられた第１の冷却空気が投射装置の内部を流れて、投射装置に設けられた排気ユニットから排気されることにより冷却され、画像再生装置は、第２の吸気口から取り入れられた第２の冷却空気が画像再生装置の内部を流れて冷却される。この第２の冷却空気は、画像再生装置を冷却した後、区画部材の連通口から投射装置の側へ導入され、投射装置に設けられた排気ユニットから第１の冷却空気と共に排気される。ここで、画像再生装置は、投射装置に比べて発熱が少ないため、画像再生装置を冷却した第２の冷却空気の温度上昇も第１の冷却空気に比べて少ない。従って、第２の冷却空気は、投射装置の側へ導入されると、第１の冷却空気の温度を低下させることができ、連通口から排気ユニットの間において、投射装置のより効果的な冷却が可能である。また、第２の吸気口から連通口を経て排気ユニットに到る第２の冷却空気の流れは、排気ユニットの排気ファンの排気力によって形成されており、画像再生装置には、第２の冷却空気を取り入れるための第２の吸気口を設けておくだけで、画像再生装置の冷却が十分に行える。即ち、画像再生装置は、画像再生装置用排気ファン等の冷却用付帯装置を設けるスペースが不要であって、最小限の大きさに設定することが可能である。これにより、プロジェクタも、小型化が図れると共に、ファンによる騒音の抑制が図れる。さらに、第２の冷却空気は、排気ユニットによって強制的な流れを形成しており、発熱量の多い画像再生装置を備えた場合であっても、画像再生装置の冷却が十分に行える。
【０００９】
［適用例２］上記適用例にかかるプロジェクタは、前記排気ユニットは前記区画部材近傍に開口を有し、前記連通口と、前記開口により、前記第２の冷却空気を前記連通口から前記排気ユニットへ導く冷却流路が形成されていることが好ましい。
【００１０】
この構成によれば、区画部材の連通口から投射装置へ導入された第２の冷却空気は、区画部材と投射装置の機構ユニット等との間を滞留することなくスムーズに流れて、排気ユニットの開口を通って排気ユニットから排出される冷却流路を形成している。開口は、排気ユニットの区画部材近傍に設けられていて、この位置に開口があれば、区画部材の連通口から導入された第２の冷却空気が、開口へ吸引され易くなっている。開口の設置により、第２の冷却空気が連通口から投射装置の側へ淀みなく導入され、第２の吸気口から開口までの空気流が確実に形成される。従って、画像再生装置には、常に、第２の吸気口から新しい第２の冷却空気が十分に取り入れられている。
【００１１】
［適用例３］上記適用例にかかるプロジェクタは、前記投射装置の内部に、さらに、内部ファンを有し、前記内部ファンは、前記第１の冷却空気および前記連通口からの前記第２の冷却空気を前記投射装置の発熱部へ送って、前記発熱部を冷却することが好ましい。
【００１２】
この構成によれば、第１の冷却空気および第２の冷却空気を主に導く排気ファンとは別に、内部ファンによって、投射装置の発熱部に第１の冷却空気および第２の冷却空気を送って、発熱部をより効果的に冷却することが可能である。この場合、内部ファンは、排気ファンによる第１の冷却空気および第２の冷却空気の流れでは、冷却が不十分な発熱部に対して冷却を行うことにより、投写装置を均一に冷却することが可能である。内部ファンを設けることにより、投射装置内の冷却空気の流れをより確実に形成でき、投射装置および画像再生装置の冷却が十分に行える。
【００１３】
［適用例４］上記適用例にかかるプロジェクタは、前記第１の吸気口と前記第２の吸気口とが、前記排気ユニットと対向する側に隣接して設けられていることが好ましい。
【００１４】
この構成によれば、第１の冷却空気および第２の冷却空気が、投射装置または再生装置内を略同方向に流れ、それぞれ投射装置または再生装置を冷却する。略同方向に流れる第１の冷却空気と第２の冷却空気とは、連通口において合流しても、流れが乱れることなく、それぞれの流れをほぼ維持してスムーズに排気ユニットから排気される。このような第１の冷却空気および第２の冷却空気のスムーズな流れにより、投射装置および再生装置がより効率良く冷却される。
【発明を実施するための最良の形態】
【００１５】
以下、プロジェクタの具体的な実施形態について、図面に従って説明する。本実施形態のプロジェクタは、光源部から射出された光束を画像信号に応じて液晶パネルで変調し、変調した画像光を投射部からスクリーンへ投射する投射装置と、画像信号に関連する画像を再生するＤＶＤプレーヤー（画像再生装置）とが一体化された装置である。このプロジェクタは、投射装置およびＤＶＤプレーヤーを冷却するための構成に特徴を有している。
（実施形態）
【００１６】
まず、プロジェクタの外観仕様について説明する。図１（ａ）は、本実施形態にかかるプロジェクタを正面右方から見た斜視図、図１（ｂ）は、プロジェクタを正面左方から見た斜視図である。プロジェクタ１は、略直方体形状の外観をなしていて、上部側に配置された投射装置２と、下部側に配置されたＤＶＤプレーヤー（画像再生装置）３と、を備えている。投射装置２は、上面、正面、背面、右側面および左側面を形成する上部外装２１を有し、上部外装２１の上面には、背面側左方に位置し、光源部のランプを交換するために開閉可能な光源蓋２１ａと、上面の略中央部に位置し、プロジェクタ１を操作するための操作ボタン類を有する操作部２２と、正面側右方にあって開閉自在にスライドし、開状態において投射部のフォーカス調整を可能にするフォーカスカバー２７と、が設けられている。
【００１７】
また、上部外装２１の正面には、投射部から投射された画像光が通過する投射口２３と、フォーカスカバー２７と連動して投射口２３を開閉する投射口カバー２６と、が設けられている。さらに、上部外装２１の右側面正面寄りには、投射装置２の内部へ冷却用の空気を取り入れるための投射装置吸気口（第１の吸気口）２４が設けられ、上部外装２１の左側面正面寄りには、冷却用の空気を排気するための排気口２５が設けられている。このプロジェクタ１は、画像光が投射されたスクリーンを鑑賞する側と同じ側に設置される、いわゆるフロントタイプのものである。
【００１８】
そして、ＤＶＤプレーヤー３は、正面、右側面、左側面および下面を形成する下部外装３１を有し、下部外装３１の正面には、ＤＶＤを再生するために挿入するＤＶＤ挿入部３２と、ＤＶＤ挿入部３２からＤＶＤを抜き出すためのイジェクトボタン３３と、が設けられている。下部外装３１の右側面には、投射装置吸気口２４に隣接して位置し、ＤＶＤプレーヤー３の内部へ冷却用の空気を取り入れるためのプレーヤー吸気口（第２の吸気口）３４が設けられ、下部外装３１の右側面および左側面には、背面側の内部の左右に配置されている２つのスピーカーにそれぞれ対応するカバー部１５が設けられている。なお、投射装置吸気口２４およびプレーヤー吸気口３４には、導入する冷却用の空気に含まれる塵埃を除去するために、それぞれの内側全域に図示していない除塵フィルタが設けられており、プレーヤー吸気口３４から取り入れられた冷却用の空気は、投射装置吸気口２４から取り入れられた冷却用の空気と共に、排気口２５から排気される。
【００１９】
次に、上部外装２１の内部に収容されている投射装置２の機構部について説明する。図２は、投射装置の内部構成を示す斜視図である。投射装置２とＤＶＤプレーヤー３とは、図２に示すように、区画部材６によって仕切られていて、区画部材６は、ＤＶＤプレーヤー３の下部外装３１の上方を覆って塞いでいる平面部６ａと、平面部６ａの外縁に沿って投射装置２の側へ立ち上っている外縁部６ｂとで構成されている。ここに上部外装２１（図１）が、外縁部６ｂにガイドされて装着されると、区画部材６は、上部外装２１内に収容されて外部から隠れた状態になる。この区画部材６の平面部６ａに、投射装置２の機構部が載置されている。
【００２０】
投射装置２の機構部は、投射装置吸気口２４から投射装置冷却空気（第１の冷却空気）５０を取り入れるための吸気ファン１０と、吸気ファン１０が取り込んだ投射装置冷却空気５０を機構部へ導くためのダクト１１と、吸気ファン１０に隣接し、上部外装２１の投射口２３（図１）を通して画像光を投射する投射部５と、区画部材６の正面側にあって一端が排気口２５と隣接して位置する電源部（発熱部）８と、電源部８の他端の背面側にあって電源部８へ投射装置冷却空気５０を送る内部ファン９と、電源部８の背面側に排気口２５に対して斜めに対向して位置する排気ユニット７と、を有している。さらに、機構部は、排気ユニット７から投射部５にかけて上面側から見て略Ｌ字状に配置された光学ユニット４（４１，４２，４３，４４）と、光学ユニット４の上方に設けられた回路基板１２と、回路基板１２の背面側に設けられ、ＤＶＤプレーヤー３以外の再生装置と投射装置２とを接続するための数種のコネクタ端子２９と、を有している。
【００２１】
投射装置２の主部である光学ユニット４は、排気ユニット７の近傍にあり光源部を有するインテグレータ照明部４１と、色分離部４２と、リレー光学部４３と、３枚の液晶パネル（不図示）を光学変調素子として有する光学変調部４４で構成される光学部品が内部に収納されており、光学変調部４４が投射部５に接続されている。図２では、液晶パネルと回路基板１２とを接続する３本のＦＰＣ（Frexible  Prinnted  Circuit  board、フレキシブル配線基板）４５が表されている。このような構成の光学ユニット４は、略Ｌ字状の筐体に収容されて、区画部材６に載置されている。この場合、筐体下部とダクト１１の上部カバーおよび区画部材６の平面部６ａとの間には、間隙が設けられている。なお、ＤＶＤプレーヤー３のプレーヤー吸気口３４からは、ＤＶＤプレーヤー３を冷却するプレーヤー冷却空気（第２の冷却空気）５５が取り入れられる。
【００２２】
以下では、光学ユニット４について説明する。図３は、光学ユニットの詳細な構成を示す斜視図である。図３に示すように、インテグレータ照明部４１は、光学変調部４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源ランプ４１６およびリフレクタ４１７を有する光源部４１１と、第１レンズアレイ４１２と、第２レンズアレイ４１３と、偏光変換素子４１４と、重畳レンズ４１５とを有している。
【００２３】
光源部４１１は、光源ランプ４１６から射出された放射状の光線をリフレクタ４１７で反射して平行光線とし、この平行光線を第１レンズアレイ４１２へ射出する。第１レンズアレイ４１２は、光軸方向から見て略矩形状の輪郭を有する小レンズがマトリクス状に配列された構成であって、各小レンズは、光源ランプ４１６から射出される光束を、複数の部分光束に分割している。各小レンズの輪郭形状は、液晶パネル４４１の画像形成領域の形状とほぼ相似形をなすように設定されている。例えば、液晶パネル４４１の画像形成領域のアスペクト比（横と縦の寸法の比率）が４：３であるならば、各小レンズのアスペクト比も４：３に設定する。第２レンズアレイ４１３は、第１レンズアレイ４１２と略同様な構成を有しており、小レンズがマトリクス状に配列された構成を有している。この第２レンズアレイ４１３は、重畳レンズ４１５と共に、第１レンズアレイ４１２の各小レンズの像を液晶パネル４４１上に結像させる機能を有する。
【００２４】
偏光変換素子４１４は、第２レンズアレイ４１３と重畳レンズ４１５との間に配置され、第２レンズアレイ４１３と一体でユニット化されている。このような偏光変換素子４１４は、第２レンズアレイ４１３からの光を１種類の偏光光に変換するものであり、これにより、光学変調部４４での光の利用効率が高められている。
【００２５】
具体的に述べると、偏光変換素子４１４によって１種類の偏光光に変換された各部分光は、重畳レンズ４１５によって最終的に光学変調部４４の液晶パネル４４１上にほぼ重畳される。偏光光を変調するタイプの液晶パネル４４１を用いた投射装置２では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を全て１種類の偏光光に変換し、光学変調部４４での光の利用効率を高めている。
【００２６】
色分離部４２は、２枚のダイクロイックミラー４２１，４２２と、反射ミラー４２３とを備え、ダイクロイックミラー４２１，４２２によりインテグレータ照明部４１から射出された複数の部分光束を赤（Ｒ）、緑（Ｇ）、青（Ｂ）の３色の色光に分離する機能を有している。
【００２７】
リレー光学部４３は、入射側レンズ４３１と、リレーレンズ４３３と、反射ミラー４３２，４３４とを備え、色分離部４２で分離された色光である赤色光を液晶パネル４４１Ｒまで導く機能を有している。
【００２８】
この際、色分離部４２のダイクロイックミラー４２１では、インテグレータ照明部４１から射出された光束の赤色光成分と緑色光成分とが透過し、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸に対して平行な光束に変換する。他の液晶パネル４４１Ｇ，４４１Ｒの光入射側に設けられたフィールドレンズ４１８も同様である。
【００２９】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学部４３を通り、さらにフィールドレンズ４１８を通って、赤色光用の液晶パネル４４１Ｒに到達する。ここで、赤色光にリレー光学部４３が用いられているのは、赤色光の光路の長さが他の色光の光路の長さよりも長いため、光の拡散等による光の利用効率の低下を防止するためである。即ち、入射側レンズ４３１に入射した部分光束をそのまま、フィールドレンズ４１８に伝えることができる。なお、リレー光学部４３に赤色光を導く構成ではなく、例えば青色光を導く構成としても良い。
【００３０】
光学変調部４４は、入射された光束を画像信号に応じて変調してカラー画像を形成するものであり、色分離部４２で分離された各色光が入射される３つの入射側偏光板４４２と、各入射側偏光板４４２の後段に配置されている各液晶パネル４４１Ｒ，４４１Ｇ，４４１Ｂと、各液晶パネル４４１Ｒ，４４１Ｇ，４４１Ｂの後段に配置される射出側偏光板４４３と、色合成のための光学系であるクロスダイクロイックプリズム４４４とを有している。
【００３１】
液晶パネル４４１Ｒ，４４１Ｇ，４４１Ｂは、この場合、ポリシリコンＴＦＴをスイッチング素子として用いたものである。光学変調部４４において、色分離部４２で分離された各色光は、これら３枚の液晶パネル４４１Ｒ，４４１Ｇ，４４１Ｂ、入射側偏光板４４２、および射出側偏光板４４３によって、画像信号に応じて変調された光学像を形成する。
【００３２】
入射側偏光板４４２は、色分離部４２で分離された各色光のうち、一定方向の偏光光のみ透過させ、その他の光束を吸収するものであり、サファイヤガラス等の基板に偏光膜が貼付されたものである。射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。これらの入射側偏光板４４２および射出側偏光板４４３は、互いの偏光軸の方向が直交するように設定されている。
【００３３】
クロスダイクロイックプリズム４４４は、射出側偏光板４４３から射出され、色光毎に変調された光学像を合成してカラー画像を形成するものである。クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４４４で合成されたカラー画像は、投射部５に設けられている投射レンズによって拡大されて投射される。
【００３４】
次に、投射装置２の冷却について説明する。図４は、投射装置における冷却空気の流れを示す斜視図である。図４では、冷却空気の流れを分かり易くするため、光学ユニット４、投射部５、回路基板１２、ダクト１１の上部カバー等を取り外して示している。以下では、図４に加え図２、図３も参照して説明する。投射装置２を冷却するための投射装置冷却空気５０は、吸気ファン１０によって投射装置吸気口２４を介して取り入れられ、空気流５０ａとしてダクト１１へ送られる。空気流５０ａは、ダクト１１に導かれて光学変調部４４の液晶パネル４４１の下方に達し、ダクト１１の上部カバーに開けられた吹き出し口（不図示）から、空気流５０ｂのように上方へ吹き出して、光学ユニット４の筐体内へ入り、液晶パネル４４１を主に冷却する。液晶パネル４４１を冷却した空気流５０ｂは、筐体を出て回路基板１２に沿って流れつつ、回路基板１２のＩＣ（Integrated  Circuit）等を冷却する。
【００３５】
さらに、空気流５０ａは、液晶パネル４４１の冷却と同様に、インテグレータ照明部４１の偏光変換素子４１４の下方から、空気流５０ｃのように上方へ吹き出して、偏光変換素子４１４を主に冷却する。偏光変換素子４１４を冷却した空気流５０ｃは、空気流５０ｂと合流した空気流５０ｄとなって、光源部４１１を冷却した後、排気ユニット７の排気ファン７ａによって排気の空気流５０ｆとして、排気口２５から投射装置２の外へ排気される。この時、空気流５０ｂと空気流５０ｃとの一部は、電源部８を冷却する空気流５０ｅを形成する内部ファン９によって吸引され、電源部８へ送られる。
【００３６】
電源部８は、電源ブロックと光源駆動ブロックとを含んで２段に構成されており、電源ブロックは、電源ケーブルを通して、外部から供給された電力を光源駆動ブロックや回路基板１２等に供給している。光源駆動ブロックは、光源部を構成する光源ランプ４１６へ、電源ブロックから供給された電力を供給するためのものである。これらの電源ブロックおよび光源駆動ブロックは、略平行に上下に並んで配置され、それぞれ筒状部材（不図示）によって覆われて保持されている。筒状部材は、内部ファン９および排気口２５の側が開口しており、電源ブロックおよび光源駆動ブロックを保持すると共に、空気流５０ｅを誘導するダクトとしての機能も有している。このような電源部８を冷却した空気流５０ｅは、排気の空気流５０ｆとして、排気口２５から投射装置２の外へ排気される。
【００３７】
また、区画部材６は、平面部６ａの中央付近に２つの連通口６１，６２を有していて、これら連通口６１，６２を介して、ＤＶＤプレーヤー３を冷却したプレーヤー冷却空気５５が投射装置２の側へ導入される。連通口６１，６２は、投射装置２の側から見て、一方の連通口６１が内部ファン９の背面側から、光学ユニット４の下方まで、およびダクト１１近傍から排気ユニット７近傍までの範囲に設けられている。他方の連通口６２は、光学ユニット４の色分離部４２の下方近傍に設けられている。
【００３８】
次に、ＤＶＤプレーヤー３について説明する。図５は、ＤＶＤプレーヤーの構成および冷却空気の流れを示す斜視図である。まず、ＤＶＤプレーヤー３の構成について、図５に加え図４も参照して説明する。ＤＶＤプレーヤー３の機構部は、下部外装３１に収容されており、下部外装３１のＤＶＤ挿入部３２に隣接して位置し、ＤＶＤ挿入部３２から挿入されたＤＶＤを駆動させる駆動ユニット３５と、下部外装３１のプレーヤー吸気口３４の側に位置し、機構部を制御する回路ユニット３６と、駆動ユニット３５および回路ユニット３６の背面側にそれぞれ配置されている一対のスピーカー１６と、区画部材６を下部外装３１に位置決めして取り付けるための９本の区画部材ガイド３７と、を有している。
【００３９】
駆動ユニット３５は、ピックアップを有し、ピックアップにより、挿入されたＤＶＤに記録されているデジタルビデオ信号を読み取るものである。読み取られたデジタルビデオ信号は、回路ユニット３６を介して、投射装置２へ画像信号として送られる。この画像信号を基にして、投射装置２は、図３を参照して説明したように、光学ユニット４により形成されたカラー画像を投射部５から投射する。なお、連通口６１，６２は、ＤＶＤプレーヤー３の側から見ると、連通口６１が回路ユニット３６から駆動ユニット３５のピックアップにかけての上方に設けられていて、連通口６２が回路ユニット３６の背面側上方に設けられている。
【００４０】
そして、ＤＶＤプレーヤー３は、駆動ユニット３５のピックアップや回路ユニット３６のＩＣ等が発熱する要素であるため、プレーヤー吸気口３４から取り入れたプレーヤー冷却空気５５（図２）によって、ピックアップやＩＣ等を冷却している。具体的に説明すると、プレーヤー冷却空気５５は、まず、回路ユニット３６のＩＣ等を冷却する空気流５５ａとして回路ユニット３６を流れ、空気流５５ａの一部が空気流５５ｃのように連通口６２から投射装置２の側へ流れて行く。また、空気流５５ａの一部は、回路ユニット３６から駆動ユニット３５へ流れ、ピックアップを主に冷却して、空気流５５ｂのように連通口６１から投射装置２の側へ流れて行く。
【００４１】
このようなＤＶＤプレーヤー３を冷却するための構成は、下部外装３１に設けられたプレーヤー吸気口３４と、区画部材６に設けられた連通口６１，６２のみであり、これらは、設置のために新たなスペースを要しないものである。連通口６１，６２をこのような位置に設けたことにより、プレーヤー吸気口３４からのプレーヤー冷却空気５５は、回路ユニット３６、駆動ユニット３５のピックアップを冷却してから連通口６１，６２へ流れ、効率よくＤＶＤプレーヤー３を冷却することができる。よって、吸気ファン等を設ける必要がないため、ＤＶＤプレーヤー３の冷却に関わる騒音がほとんどなく、プロジェクタ１としても低騒音化を図ることができる。また、ＤＶＤプレーヤー３は、ＤＶＤを再生するための機構を有しておれば良く、より小型化を図ることができる。
【００４２】
次に、ＤＶＤプレーヤー３を流れる空気流５５ｂおよび空気流５５ｃを確実に形成して、投射装置２へ導入するための構成について説明する。図６は、排気ユニット開口による冷却空気の流れを示す斜視図である。図６は、図４に示す電源部８および内部ファン９をさらに取り外した状態を示している。排気ユニット７は、図６に示すように、区画部材６の平面部６ａに設けられた連通口６１の近傍に、排気ユニット開口（開口）７０を有している。排気ユニット開口７０は、図４に示す空気流５０ｄを排気するための流路とは別に、空気流５５ｂ，５５ｃを連通口６１，６２から排気ユニット７へ吸引する流れを形成して、空気流５０ｆとして排気するためのものである。
【００４３】
ここで、これら連通口６１，６２は、光学ユニット４に上方を覆われており、平面部６ａと光学ユニット４との間隙も薄型化設計により少なくなっている。そのため、排気ユニット開口７０を設けずに、投射装置２を冷却する空気流５０ｄや空気流５０ｅの流れによって、空気流５５ｂ，５５ｃを誘引するだけでは、連通口６１，６２から空気流５５ｂ，５５ｃを十分に吸引できない。そこで、排気ユニット開口７０を設けることにより、連通口６１、６２から排気ユニット７０までの冷却流路が形成される。冷却流路が形成されることにより、連通口６１から排気ユニット７０へ空気流５５ｂが流れる。また、空気流５５ｂの流れに乗じる形で、連通口６２からの空気流５５ｃもより強力に形成される。また、排気ユニット開口７０は開口の高さが平面部６ａから光学ユニット４の間となるように形成されており、平面部６ａと光学ユニット４との間を空気流５５ｂ、５５ｃがより流れやすくなるように構成されている。
【００４４】
このようにして、光学ユニット４の下方の平面部６ａに沿って、冷却流路が形成され、空気流５５ｂおよび空気流５５ｃが流れることにより、プレーヤー冷却空気５５は、プレーヤー吸気口３４から連通口６１または連通口６２へ確実に流れて、ＤＶＤプレーヤー３を十分に冷却することができる。
【００４５】
さらに、空気流５５ｂ，５５ｃの一部は、内部ファン９へ吸引される空気流５５ｄとなって、空気流５０ｅ（図４）と共に、電源部８を冷却する。光学ユニット４に対して比較的発熱の少ないＤＶＤプレーヤー３を冷却した空気流５５ｂ，５５ｃは、光学ユニット４を冷却した空気流５０ｅより温度が低く、空気流５０ｅと混じることによって、電源部８をより効果的に冷却することができる。なお、この場合、電源部８は、内部ファン９によって冷却される発熱部に該当する。
【００４６】
以上説明したように、プロジェクタ１は、投射装置吸気口２４と、プレーヤー吸気口３４と、連通口６１，６２と、排気ユニット開口７０を有する排気ユニット７と、のほぼ最少の構成によって、投射装置２とＤＶＤプレーヤー３とを効率的に冷却している。これにより、プロジェクタ１の低騒音化および小型化が実現されている。
【００４７】
以下、実施形態の主な効果をまとめて記載する。
【００４８】
プロジェクタ１が有するＤＶＤプレーヤー３は、プレーヤー吸気口３４から取り入れられ、投射装置２の排気ユニット開口７０へ吸引されて、連通口６１，６２から投射装置２へ抜ける一連の流れとなるプレーヤー冷却空気５５によって冷却される。また、排気ユニット７の排気ユニット開口７０は、区画部材６の平面部６ａ近傍に設けられているため、ＤＶＤプレーヤー３を冷却した空気流５５ｂ，５５ｃが、平面部６ａの連通口６１，６２から投射装置２の側へ導入される冷却流路を形成できる。これにより、投射装置２の排気ユニット７だけで投射装置冷却空気５０とプレーヤー冷却空気５５とを効率良く排気することができ、ＤＶＤプレーヤー３用のファンが不要となる。そのため、騒音の抑制が図れる。
【００４９】
ＤＶＤプレーヤー３にプレーヤー冷却空気５５を取り入れるためのプレーヤー吸気口３４を設けておくだけの構成で、ＤＶＤプレーヤー３の冷却が可能となるので、ＤＶＤプレーヤー３をほぼ最小限の大きさに設定できる。これにより、投射装置２およびＤＶＤプレーヤー３を有するプロジェクタ１は、より小型化が図れる。
【００５０】
プロジェクタ１は、内部ファン９を有することにより、排気ユニット７による空気流５０ｂ，５０ｃ，５０ｄでは、冷却が不十分な電源部８に対して、空気流５０ｅ，５５ｄを送り冷却することができる。また、内部ファン９により、ＤＶＤプレーヤー３を冷却した空気流５５ｂを投射装置２内へ取り込むことができるので、冷却効率をさらに上げることができる。
【００５１】
プロジェクタ１は、投射装置２とＤＶＤプレーヤー３とが区画部材６で仕切られていて、それぞれの機能領域が明確であるため、メンテナンスや点検修理等がやり易い。
【００５２】
また、プロジェクタ１は上記の実施形態に限定されるものではなく、次に挙げる変形例のような形態であっても、実施形態と同様な効果が得られる。
【００５３】
区画部材６に設けられた連通口６１，６２は、２箇所の設定であるが、２箇所に限定されるものではなく、１箇所または３箇所以上の設定であっても良い。但し、排気ユニット開口７０によりスムーズな空気流５５ｂ，５５ｃを形成して、ＤＶＤプレーヤー３の駆動ユニット３５のピックアップと回路ユニット３６とを冷却するためには、実施形態の構成が好ましい。
【００５４】
ＤＶＤプレーヤー３のプレーヤー吸気口３４は、投射装置吸気口２４と隣接した配置になっているが、この配置に限定されず、ＤＶＤプレーヤー３の機構部の配置等に応じて、他の位置に設けても良い。
【００５５】
電源部８を冷却する空気流５０ｅ，５５ｄは、電源部８を冷却後、直接、排気口２５から排気されているが、空気流５０ｄと同様に排気ユニット７を介して排気される構成であっても良い。これにより、内部ファン９の負荷を軽減することができる。
【００５６】
投射装置２の内部ファン９で冷却される発熱部は、電源部８に限定されるものではなく、例えば光源部４１１等であっても良い。これにより、投射装置２の機構部のレイアウトに応じて、柔軟な冷却構成が展開できる。
【００５７】
プロジェクタ１は、再生装置としてＤＶＤプレーヤー３を有しているが、ＤＶＤプレーヤー３に限定することなく、ビデオカセットレコーダ等であっても良い。また、フロントタイプのプロジェクタ１に限定されず、スクリーンの画像を鑑賞する側と反対側から画像光を投射する、いわゆるリアタイプのプロジェクタであっても良い。
【００５８】
プロジェクタ１は、光学変調部４４として液晶パネル４４１を用いているが、液晶パネル４４１以外のマイクロミラー等のデバイスを用いても良い。この対応により、種々の光学変調部を有する投射装置２を用いることが可能となる。
【図面の簡単な説明】
【００５９】
【図１】（ａ）本実施形態にかかるプロジェクタを正面右方から見た斜視図、（ｂ）プロジェクタを正面左方から見た斜視図。
【図２】投射装置の内部構成を示す斜視図。
【図３】光学ユニットの詳細な構成を示す斜視図。
【図４】投射装置における冷却空気の流れを示す斜視図。
【図５】ＤＶＤプレーヤーの構成および冷却空気の流れを示す斜視図。
【図６】排気ユニット開口による冷却空気の流れを示す斜視図。
【符号の説明】
【００６０】
１…プロジェクタ、２…投射装置、３…画像再生装置としてのＤＶＤプレーヤー、４…光学ユニット、５…投射部、６…区画部材、６ａ…平面部、６ｂ…外縁部、７…排気ユニット、７ａ…排気ファン、８…発熱部としての電源部、９…内部ファン、１０…吸気ファン、１１…ダクト、１２…回路基板、２１…上部外装、２２…操作部、２３…投射口、２４…第１の吸気口としての投射装置吸気口、２５…排気口、３１…下部外装、３２…ＤＶＤ挿入部、３４…第２の吸気口としてのプレーヤー吸気口、３５…駆動ユニット、３６…回路ユニット、４１…インテグレータ照明部、４２…色分離部、４３…リレー光学部、４４…光学変調部、５０…第１の冷却空気としての投射装置冷却空気、５５…第２の冷却空気としてのプレーヤー冷却空気、６１，６２…連通口、７０…開口としての排気ユニット開口。
【図１】
2009047828.tif 000003
【図２】
2009047828.tif 000004
【図３】
2009047828.tif 000005
【図４】
2009047828.tif 000006
【図５】
2009047828.tif 000007
【図６】
2009047828.tif 000008